(57)【要約】【課題】  待受用クロックを用いながら受信動作を再開するときの余裕時間を短くし、受信待受期間を送信間隔に近づけ、間欠受信による消費電力低減効果を高める。【解決手段】  待受用クロックを自局の基準クロックに同期させ、さらに同期した待受用クロックに基準クロック間の周波数誤差を付加し、一方の基地局の基準クロックに同期した待受用クロックを生成して保持する同期回路を備え、間欠受信制御回路は、同期状態の待受用クロックを所定数カウントして一方の無線局の送信間隔を推定し、対応する受信待受期間を設定する構成である。【選択図】        図１
2008205805.tif 000002
【特許請求の範囲】
【請求項１】
一方の無線局から基準クロックに同期した所定の送信間隔で送信された信号を、該一方の無線局の基準クロックと自局の基準クロックとの周波数同期をとりながら間欠受信する他方の無線局に備えられ、自局の基準クロックより低速の待受用クロックを用いて一方の無線局の送信間隔に対応する受信待受期間を設定し、その受信待受期間に自局の少なくとも受信回路および基準クロックをオフに制御する間欠受信制御回路を含む間欠受信装置において、
前記信号の間欠受信中に、前記基準クロック間の周波数誤差情報を用いて前記待受用クロックと前記一方の無線局の基準クロックとの同期をとり、前記受信待受期間中にその同期状態を保持する手段を備え、
前記間欠受信制御回路は、前記同期状態の待受用クロックを用いて前記一方の無線局の送信間隔を推定し、対応する受信待受期間を設定する構成である
ことを特徴とする間欠受信装置。
【請求項２】
一方の無線局から基準クロックに同期した所定の送信間隔で送信された信号を、該一方の無線局の基準クロックと自局の基準クロックとの周波数同期をとりながら間欠受信する他方の無線局に備えられ、自局の基準クロックより低速の待受用クロックを用いて一方の無線局の送信間隔に対応する受信待受期間を設定し、その受信待受期間に自局の少なくとも受信回路および基準クロックをオフに制御する間欠受信制御回路を含む間欠受信装置において、
前記待受用クロックを自局の基準クロックに同期させ、さらに同期した待受用クロックに前記基準クロック間の周波数誤差を付加し、前記一方の無線局の基準クロックに同期した前記待受用クロックを生成して保持する同期回路を備え、
前記間欠受信制御回路は、前記同期状態の待受用クロックを所定数カウントして前記一方の無線局の送信間隔を推定し、対応する受信待受期間を設定する構成である
ことを特徴とする間欠受信装置。
【請求項３】
一方の無線局から基準クロックに同期した所定の送信間隔で送信された信号を、該一方の無線局の基準クロックと自局の基準クロックとの周波数同期をとりながら間欠受信する他方の無線局に備えられ、自局の基準クロックより低速の待受用クロックを用いて一方の無線局の送信間隔に対応する受信待受期間を設定し、その受信待受期間に自局の少なくとも受信回路および基準クロックをオフに制御する間欠受信制御回路を含む間欠受信装置において、
前記自局の基準クロックに同期した前記待受用クロックを生成して保持する同期回路を備え、
前記間欠受信制御回路は、前記基準クロック間の周波数誤差を入力し、前記同期状態の待受用クロックのカウント数を該周波数誤差に応じて調整し、当該カウント数で前記同期状態の待受用クロックをカウントして前記一方の無線局の送信間隔を推定し、対応する受信待受期間を設定する構成である
ことを特徴とする間欠受信装置。
【請求項４】
一方の無線局から基準クロックに同期したシンボルクロックのタイミングで生成され、該シンボルクロックから得られる所定の送信間隔で送信された信号を、該一方の無線局の基準クロックと自局の基準クロックとの周波数同期をとりながら間欠受信する他方の無線局に備えられ、自局の基準クロックより低速の待受用クロックを用いて一方の無線局の送信間隔に対応する受信待受期間を設定し、その受信待受期間に自局の少なくとも受信回路および基準クロックをオフに制御する間欠受信制御回路を含む間欠受信装置において、
前記間欠受信した信号から前記一方の無線局のシンボルクロックに同期したシンボル同期クロックを抽出するシンボル同期回路と、
前記シンボル同期クロックと前記待受用クロックの周波数誤差を検出し、該周波数誤差を補正して前記一方の無線局のシンボルクロックに同期した待受用クロックを出力する誤差検出回路を備え、
前記間欠受信制御回路は、前記同期状態の待受用クロックを所定数カウントして前記一方の無線局の送信間隔を推定し、対応する受信待受期間を設定する構成である
ことを特徴とする間欠受信装置。
【請求項５】
一方の無線局から基準クロックに同期したシンボルクロックのタイミングで生成され、該シンボルクロックから得られる所定の送信間隔で送信された信号を、該一方の無線局の基準クロックと自局の基準クロックとの周波数同期をとりながら間欠受信する他方の無線局に備えられ、自局の基準クロックより低速の待受用クロックを用いて一方の無線局の送信間隔に対応する受信待受期間を設定し、その受信待受期間に自局の少なくとも受信回路および基準クロックをオフに制御する間欠受信制御回路を含む間欠受信装置において、
前記間欠受信した信号から前記一方の無線局のシンボルクロックに同期したシンボル同期クロックを抽出するシンボル同期回路と、
前記シンボル同期クロックと前記待受用クロックの周波数誤差を検出する誤差検出回路を備え、
前記間欠受信制御回路は、前記誤差検出回路で検出された周波数誤差に応じて前記待受用クロックのカウント数を調整し、当該カウント数で前記待受用クロックをカウントして前記一方の無線局の送信間隔を推定し、対応する受信待受期間を設定する構成である
ことを特徴とする間欠受信装置。
【請求項６】
一方の無線局から基準クロックに同期したシンボルクロックのタイミングで生成され、該シンボルクロックから得られる所定の送信間隔で送信された信号を間欠受信する他方の無線局に備えられ、自局の基準クロックより低速の待受用クロックを用いて一方の無線局の送信間隔に対応する受信待受期間を設定し、その受信待受期間に自局の少なくとも受信回路をオフに制御する間欠受信制御回路を含む間欠受信装置において、
前記間欠受信した信号から前記一方の無線局のシンボルクロックに同期したシンボルタイミングを検出するシンボルタイミング検出回路と、
前記シンボルタイミングの期間で前記シンボルクロックと前記待受用クロックの周波数誤差を検出する誤差検出回路を備え、
前記間欠受信制御回路は、前記誤差検出回路で検出された周波数誤差に応じて前記待受用クロックのカウント数を調整し、当該カウント数で前記待受用クロックをカウントして前記一方の無線局の送信間隔を推定し、対応する受信待受期間を設定する構成である
ことを特徴とする間欠受信装置。
【発明の詳細な説明】
【技術分野】
【０００１】
本発明は、間欠送信する無線局の送信間隔を受信側の無線局で推定して受信待受期間を設定し、その間の電源オン／オフ制御を行う間欠受信装置に関する。
【背景技術】
【０００２】
図５は、従来の無線端末の構成例を示す。
図において、無線接続される基地局４０の送信回路４１と無線端末５０の受信回路５１は、それぞれ基準クロック４２，５２に応じて動作する。ここで、基地局４０の基準クロック４２の周波数をfh' 、無線端末５０の基準クロック５２の周波数をfh（＝fh'−Δfh)とすると、受信回路５１はＡＦＣ（自動周波数制御）回路を用いて基地局４０の基準クロック４２に対する自装置の周波数誤差Δfhを補正し、周波数同期をとって受信処理を行う。
【０００３】
また、基地局４０との間で間欠受信制御を行う無線端末５０の間欠受信制御回路５３は、基地局４０の送信間隔に相当する受信待受期間を基準クロック５２または別途設けられる待受用クロック５４を用いて推定し、その間は受信回路５１の電源をオフにして消費電力の低減を図る。そして、再び送信フレームが到着するタイミングよりも少し前に、受信回路５１の電源を立ち上げる制御を行う（特許文献１）。
【０００４】
なお、無線端末５０で受信待受期間を決める基準クロック５２または待受用クロック５４と、基地局４０で送信間隔を決める基準クロック４２との間には一般に周波数誤差があるため、無線端末５０ではその分を想定した余裕時間を設けて受信回路５１の電源をオンにする必要がある。特に、受信待受期間中の消費電力を低減するために、基準クロック５２に代えて低速かつ低消費電力の待受用クロック５４を用いる場合には、さらに周波数精度の低下に応じた十分な余裕時間を設ける必要がある。
【０００５】
一方、受信待受期間中は高精度発振回路を用いることにより、無線端末５０の余裕時間を短くする方法も提案されている（特許文献２）。ただし、高精度発振回路による消費電力増加と、余裕時間の短縮による消費電力低減のトレードオフになる。
【特許文献１】特許第３３２５４３４号公報
【特許文献２】特開平５−１４２２２号公報
【発明の開示】
【発明が解決しようとする課題】
【０００６】
間欠受信する無線端末５０の消費電力を低減するために、受信待受期間中は低速かつ低消費電力の待受用クロック５４を用いる方法では、基地局４０との周波数誤差が大きく送信間隔に対応して推定される受信待受期間が不正確になる。したがって、その分を想定した十分な長さの余裕時間を設けて電源オフ中の各回路の電源を立ち上げる必要があり、その分だけ消費電力低減効果が相殺されていた。
【０００７】
本発明は、待受用クロックを用いながら受信動作を再開するときの余裕時間を短くし、受信待受期間を送信間隔に近づけ、間欠受信による消費電力低減効果を高めることができる間欠受信装置を提供することを目的とする。
【課題を解決するための手段】
【０００８】
第１の発明は、一方の無線局から基準クロックに同期した所定の送信間隔で送信された信号を、該一方の無線局の基準クロックと自局の基準クロックとの周波数同期をとりながら間欠受信する他方の無線局に備えられ、自局の基準クロックより低速の待受用クロックを用いて一方の無線局の送信間隔に対応する受信待受期間を設定し、その受信待受期間に自局の少なくとも受信回路および基準クロックをオフに制御する間欠受信制御回路を含む間欠受信装置において、信号の間欠受信中に、基準クロック間の周波数誤差情報を用いて待受用クロックと一方の無線局の基準クロックとの同期をとり、受信待受期間中にその同期状態を保持する手段を備え、間欠受信制御回路は、同期状態の待受用クロックを用いて一方の無線局の送信間隔を推定し、対応する受信待受期間を設定する構成である。
【０００９】
第２の発明は、一方の無線局から基準クロックに同期した所定の送信間隔で送信された信号を、該一方の無線局の基準クロックと自局の基準クロックとの周波数同期をとりながら間欠受信する他方の無線局に備えられ、自局の基準クロックより低速の待受用クロックを用いて一方の無線局の送信間隔に対応する受信待受期間を設定し、その受信待受期間に自局の少なくとも受信回路および基準クロックをオフに制御する間欠受信制御回路を含む間欠受信装置において、待受用クロックを自局の基準クロックに同期させ、さらに同期した待受用クロックに基準クロック間の周波数誤差を付加し、一方の無線局の基準クロックに同期した待受用クロックを生成して保持する同期回路を備え、間欠受信制御回路は、同期状態の待受用クロックを所定数カウントして一方の無線局の送信間隔を推定し、対応する受信待受期間を設定する構成である。
【００１０】
第３の発明は、一方の無線局から基準クロックに同期した所定の送信間隔で送信された信号を、該一方の無線局の基準クロックと自局の基準クロックとの周波数同期をとりながら間欠受信する他方の無線局に備えられ、自局の基準クロックより低速の待受用クロックを用いて一方の無線局の送信間隔に対応する受信待受期間を設定し、その受信待受期間に自局の少なくとも受信回路および基準クロックをオフに制御する間欠受信制御回路を含む間欠受信装置において、自局の基準クロックに同期した待受用クロックを生成して保持する同期回路を備え、間欠受信制御回路は、基準クロック間の周波数誤差を入力し、同期状態の待受用クロックのカウント数を該周波数誤差に応じて調整し、当該カウント数で同期状態の待受用クロックをカウントして一方の無線局の送信間隔を推定し、対応する受信待受期間を設定する構成である。
【００１１】
第４の発明は、一方の無線局から基準クロックに同期したシンボルクロックのタイミングで生成され、該シンボルクロックから得られる所定の送信間隔で送信された信号を、該一方の無線局の基準クロックと自局の基準クロックとの周波数同期をとりながら間欠受信する他方の無線局に備えられ、自局の基準クロックより低速の待受用クロックを用いて一方の無線局の送信間隔に対応する受信待受期間を設定し、その受信待受期間に自局の少なくとも受信回路および基準クロックをオフに制御する間欠受信制御回路を含む間欠受信装置において、間欠受信した信号から一方の無線局のシンボルクロックに同期したシンボル同期クロックを抽出するシンボル同期回路と、シンボル同期クロックと待受用クロックの周波数誤差を検出し、該周波数誤差を補正して一方の無線局のシンボルクロックに同期した待受用クロックを出力する誤差検出回路を備え、間欠受信制御回路は、同期状態の待受用クロックを所定数カウントして一方の無線局の送信間隔を推定し、対応する受信待受期間を設定する構成である。
【００１２】
第５の発明は、一方の無線局から基準クロックに同期したシンボルクロックのタイミングで生成され、該シンボルクロックから得られる所定の送信間隔で送信された信号を、該一方の無線局の基準クロックと自局の基準クロックとの周波数同期をとりながら間欠受信する他方の無線局に備えられ、自局の基準クロックより低速の待受用クロックを用いて一方の無線局の送信間隔に対応する受信待受期間を設定し、その受信待受期間に自局の少なくとも受信回路および基準クロックをオフに制御する間欠受信制御回路を含む間欠受信装置において、間欠受信した信号から一方の無線局のシンボルクロックに同期したシンボル同期クロックを抽出するシンボル同期回路と、シンボル同期クロックと待受用クロックの周波数誤差を検出する誤差検出回路を備え、間欠受信制御回路は、誤差検出回路で検出された周波数誤差に応じて待受用クロックのカウント数を調整し、当該カウント数で待受用クロックをカウントして一方の無線局の送信間隔を推定し、対応する受信待受期間を設定する構成である。
【００１３】
第６の発明は、一方の無線局から基準クロックに同期したシンボルクロックのタイミングで生成され、該シンボルクロックから得られる所定の送信間隔で送信された信号を間欠受信する他方の無線局に備えられ、自局の基準クロックより低速の待受用クロックを用いて一方の無線局の送信間隔に対応する受信待受期間を設定し、その受信待受期間に自局の少なくとも受信回路をオフに制御する間欠受信制御回路を含む間欠受信装置において、間欠受信した信号から一方の無線局のシンボルクロックに同期したシンボルタイミングを検出するシンボルタイミング検出回路と、シンボルタイミングの期間でシンボルクロックと待受用クロックの周波数誤差を検出する誤差検出回路を備え、間欠受信制御回路は、誤差検出回路で検出された周波数誤差に応じて待受用クロックのカウント数を調整し、当該カウント数で待受用クロックをカウントして一方の無線局の送信間隔を推定し、対応する受信待受期間を設定する構成である。
【発明の効果】
【００１４】
本発明の間欠受信装置を備えた無線局では、待受用クロックと周波数誤差情報から、送信側無線局の基準クロックで設定される送信間隔をほぼ正確に推定することができる。これにより、低消費電力の待受用クロックを用いながら、送信側無線局の送信間隔に受信側無線局の受信待受期間を合わせることができ、事前に受信回路の電源をオンにしておく余裕時間を短くでき、その結果として受信待受時の消費電力を低減することができる。
【発明を実施するための最良の形態】
【００１５】
（第１の実施形態）
図１は、本発明の間欠受信装置の第１の実施形態を示す。
図において、無線端末５０は従来と同様の受信回路５１、基準クロック５２に加えて、本実施形態の間欠受信装置として、待受用クロック１１、同期回路１２および間欠受信制御回路１３を備える。同期回路１２は、基準クロック（周波数fh）５２と受信回路５１ＡＦＣ回路から周波数誤差情報Δfhを入力し、基地局４０の基準クロック４２と待受用クロック１１の同期をとり、間欠受信制御回路１３で受信待受期間Ｔr のタイミング制御を行う構成である。
【００１６】
以下、本実施形態の無線端末の間欠受信動作について説明する。なお、以下の説明において、基準クロック４２，５２および待受用クロック１１については周波数で表記する。
【００１７】
まず、基地局４０は、基準クロックfh' をＮ分周したシンボルクロックfl'(＝fh'／Ｎ)をａカウントして送信間隔Ｔt(＝ａ／fl')を決定し、その送信間隔で送信フレームを間欠送信する。
【００１８】
無線端末５０の受信回路５１は、フレーム受信時に、基地局４０の基準クロックfh' に対して無線端末５０の基準クロックfhを同期させるＡＦＣ動作を行う。その際に、周波数誤差情報Δfh（＝fh' −fh）を検出する。
【００１９】
また、無線端末５０の同期回路１２は、無線端末５０の基準クロックfhに待受用クロックflを同期させ、待受用クロックfl" を生成する。ここで、待受用クロックflは、無線端末５０の基準クロックfhよりも十分に遅くかつ低消費電力で動作し、例えば待受用クロックflがシンボルレート相当（fh'／Ｎ)とすると、fl" ＝fh／Ｎとなるように周波数同期がとられる。
【００２０】
次に、無線端末５０の同期回路１２は、受信回路５１のＡＦＣ回路から入力する周波数誤差情報Δfhから、基地局４０のシンボルクロックfl'(＝fh'／Ｎ)に対する周波数誤差情報Δfh／Ｎを算出し、無線端末５０の基準クロックfhに同期した待受用クロックfl" に対して、基地局４０のシンボルクロックfl' に周波数同期した無線端末５０におけるシンボルクロックfl'(＝fl" ＋Δfh／Ｎ）を推定する。
【００２１】
次に、無線端末５０の間欠受信制御回路１３は、推定したシンボルクロックfl'(＝fl" ＋Δfh／Ｎ）をａカウントして送信間隔Ｔt(＝ａ／fl' ＝ａ／(fl"＋Δfh／Ｎ) ）を推定する。無線端末５０の受信待受期間Ｔr は、この推定した送信間隔Ｔt に近い値を設定し、この受信タイミングでフレームを間欠受信する。
【００２２】
このように、無線端末５０の間欠受信制御回路１３は、基地局４０の送信間隔Ｔt を決めるシンボルクロックfl' に周波数同期したシンボルクロックを推定し、送信間隔Ｔt に対応する受信待受期間Ｔr を設定することができる。従来構成では基地局４０側と周波数同期がとれていない待受用クロックを用いて受信待受期間Ｔr を設定していたために、十分な余裕時間を考慮する必要があった。一方、本実施形態では基地局４０側と周波数同期がとれた状態で受信待受期間Ｔr の設定が可能になるので、受信回路５１その他の立ち上げ時間やＰＬＬロック時間に係るわずかな余裕時間で対応が可能となる。これにより、無線端末５０の受信回路５１および基準クロック５２をオフとする受信待受期間Ｔr を長くとることが可能となり、消費電力の低減効果を高めることができる。
【００２３】
なお、受信待ち受け時に同期回路１２では、基準クロックfhおよび周波数誤差情報Δfhの入力がなくなるが、例えば特公平6-91438 号公報に記載の「周期制御パルス発生回路」を用いることにより、推定したシンボルクロックfl'(＝fl" ＋Δfh／Ｎ）の周波数を維持することができる。
【００２４】
（第２の実施形態）
図２は、本発明の間欠受信装置の第２の実施形態を示す。
図において、本実施形態の間欠受信装置は、第１の実施形態の同期回路１２および間欠受信制御回路１３に代えて、同期回路１４および間欠受信制御回路１５を用いる構成である。同期回路１２は、基準クロック（周波数fh）５２を入力し、間欠受信制御回路１５のカウンタは受信回路５１のＡＦＣ回路から周波数誤差情報Δfhを入力し、基地局４０の基準クロック４２と待受用クロック１１の周波数同期をとり、間欠受信制御回路１５で受信待受期間Ｔr のタイミング制御を行う構成である。
【００２５】
以下、本実施形態の無線端末の間欠受信動作について説明する。なお、以下の説明において、基準クロック４２，５２および待受用クロック１１については周波数で表記する。
【００２６】
まず、基地局４０は、基準クロックfh' をＮ分周したシンボルクロックfl'(＝fh'／Ｎ)をａカウントして送信間隔Ｔt(＝ａ／fl')を決定し、その送信間隔で送信フレームを間欠送信する。
【００２７】
無線端末５０の受信回路５１は、フレーム受信時に、基地局４０の基準クロックfh' に対して無線端末５０の基準クロックfhを同期させるＡＦＣ動作を行う。その際に、周波数誤差情報Δfh（＝fh' −fh）を検出する。
【００２８】
また、無線端末５０の同期回路１４は、無線端末５０の基準クロックfhに待受用クロックflを同期させ、待受用クロックfl" を生成する。ここで、待受用クロックflは、無線端末５０の基準クロックfhよりも十分に遅くかつ低消費電力で動作し、例えば待受用クロックflがシンボルレート相当（fh'／Ｎ)とすると、fl" ＝fh／Ｎとなるように周波数同期がとられる。
【００２９】
ところで、基地局４０の基準クロックfh' と無線端末５０の基準クロックfhの周波数誤差Δfhに対して、各基準クロックから得られるシンボルクロックfl'(＝fh'／Ｎ)とfl"(＝fh／Ｎ) の周波数誤差はΔfh／Ｎとなる。すなわち、基地局４０と無線端末５０のシンボルクロックの関係は、
fl' ＝fl" ＋Δfh／Ｎ
と表すことができる。したがって、送信間隔Ｔt(＝ａ／fl')は、
Ｔt ＝ａ／（fl" ＋Δfh／Ｎ）
＝ [ａ／(１＋Δfh／Ｎfl")]／fl" 
と推定することができる。これは、送信間隔Ｔt がfl" をａ'＝ａ／(１＋Δfh／Ｎfl")回カウントして得られることを示す。
【００３０】
したがって、無線端末５０の基準クロックfhに同期した待受用クロックfl" を入力する間欠受信制御回路１５のカウンタは、待受用クロックfl" に対応する周波数誤差情報Δfhを入力し、fl" をａ／(１＋Δfh／Ｎfl") 回カウントして基地局４０の送信間隔Ｔt を推定する。
【００３１】
次に、無線端末５０の間欠受信制御回路１５は、推定された送信間隔Ｔt に近い値を受信待受期間Ｔr として設定し、この受信タイミングでフレームを間欠受信する。
【００３２】
このように、無線端末５０の間欠受信制御回路１５は、基地局４０の送信間隔Ｔt を決めるシンボルクロックfl' に周波数同期したシンボルクロックを推定して受信待受期間Ｔr を設定することができる。したがって、第１の実施形態と同様に、基地局４０側と周波数同期がとれた状態で受信待受期間Ｔr の設定が可能になるので、受信回路５１その他の立ち上げ時間やＰＬＬロック時間に係るわずかな余裕時間で対応が可能となる。これにより、無線端末５０の受信回路５１および基準クロック５２をオフとする受信待受期間Ｔr を長くとることが可能となり、消費電力の低減効果を高めることができる。
【００３３】
なお、受信待ち受け時に同期回路１４では、基準クロックfhの入力がなくなるが、例えば特公平6-91438 号公報に記載の「周期制御パルス発生回路」を用いることにより、基準クロックfhに同期した待受用クロックfl" の周波数を維持することができる。
【００３４】
また、無線端末５０で同期した待受用クロックfl" と同期前の待受用クロックflの差分が小さい場合には、同期回路１４を省略し、間欠受信制御回路１５のカウンタでflをａ／（１＋Δfh／Ｎfl）回カウントして受信待受期間Ｔr を設定するようにしてもよい。
【００３５】
（第３の実施形態）
図３は、本発明の間欠受信装置の第３の実施形態を示す。
図において、無線端末５０は従来と同様の受信回路５１、基準クロック５２を備え、本実施形態の間欠受信装置として、受信回路５１のシンボル同期（フレーム同期）回路で受信フレームからシンボル同期クロック（フレーム同期タイミング）fl" を抽出し、そのシンボル同期クロックfl" を入力する誤差検出回路１６および間欠受信制御回路１７を備える。誤差検出回路１６は、待受用クロック１１とシンボル同期クロックfl" の周波数同期をとり、間欠受信制御回路１７で受信待受期間Ｔr のタイミング制御を行う構成である。
【００３６】
以下、本実施形態の無線端末の間欠受信動作について説明する。なお、以下の説明において、基準クロック４２，５２、待受用クロック１１およびシンボル同期クロックについては周波数で表記する。
【００３７】
まず、基地局４０は、基準クロックfh' をＮ分周したシンボルクロックfl'(＝fh'／Ｎ)をａカウントして送信間隔Ｔt(＝ａ／fl')を決定し、その送信間隔で送信フレームを間欠送信する。
【００３８】
一方、無線端末５０の受信回路５１のシンボル同期回路は、受信フレームから基地局４０側のシンボルクロックfl' に同期したシンボル同期クロックfl" を抽出する。例えば、シンボル同期クロックfl" は、受信フレームのプリアンブルを利用したフレーム同期によっても求めることができる。ただし、両者は周波数同期はしているものの所定値内の位相差を有する。
【００３９】
無線端末５０の誤差検出回路１６は、シンボル同期回路で抽出したシンボル同期クロックfl" と、待受用クロックflとの周波数誤差Δfl（＝fl" −fl）を検出する。具体的には、複数の受信フレームについて、シンボル同期クロックfl" と待受用クロックflの位相差の推移を観測し周波数誤差を検出する。例えば、fl" ＝10ｋHzで１秒間（10000 クロック) 観測し、位相差が１／４クロックだった場合、40000 クロックで１クロックずれる周波数誤差として検出する。
【００４０】
なお、ここではシンボル同期クロックfl" と待受用クロックflがほぼ同等の周波数としてその周波数誤差を補正する例を示したが、両者は任意の関係にあってもよい。例えばシンボル同期クロックfl" が10ｋHzで、待受用クロックflが32ｋHzの場合、少なくとも１秒ごとに（fl" が10000 クロック、flが32000 クロックで）位相は一致する。このときの１秒前との位相ずれから、周波数誤差を正確に算出することができる。
【００４１】
ここで、待受用クロックflは、無線端末５０の基準クロックfhよりも十分に遅くかつ低消費電力で動作するものとする。
【００４２】
次に、無線端末５０の間欠受信制御回路１７は、基地局４０における送信間隔Ｔt を推定する。第１の方法は、第１の実施形態と同様に、シンボル同期クロックfl" と待受用クロックflの周波数誤差Δfl（＝fl" −fl) を用い、待受用クロックflの周波数を補正して周波数同期をとったシンボルクロックfl' を生成し、基地局４０と同様のカウント数ａで送信間隔Ｔt を推定する。
【００４３】
第２の方法は、第２の実施形態と同様に、待受用クロックflのカウント数を補正して送信間隔Ｔt を推定する。例えば、送信間隔Ｔt が４秒とすると、基地局４０ではfl' ＝10ｋHzで 40000クロックをカウントするが、無線端末５０の待受用クロックflの周波数誤差が上記の例のように 40000クロックで１クロックずれる場合、 40001または39999 クロックをカウントするようにする。
【００４４】
無線端末５０の間欠受信制御回路１７は、受信待受期間Ｔr として、上記のように推定した送信間隔Ｔt に近い値を設定し、この受信タイミングでフレームを間欠受信する。
【００４５】
このように無線端末５０の間欠受信制御回路１７は、基地局４０の送信間隔Ｔt を決めるシンボルクロックfl' に周波数同期したシンボルクロックを推定して受信待受期間Ｔr を設定することができる。したがって、第１の実施形態および第２の実施形態と同様に、基地局４０側と周波数同期がとれた状態で受信待受期間Ｔr の設定が可能になるので、受信回路５１その他の立ち上げ時間やＰＬＬロック時間に係るわずかな余裕時間で対応が可能となる。これにより、無線端末５０の受信回路５１および基準クロック５２をオフとする受信待受期間Ｔr を長くとることが可能となり、消費電力の低減効果を高めることができる。
【００４６】
なお、受信待ち受け時に誤差検出回路１６では、シンボル同期クロックfl" の入力がなくなるが、例えば特公平6-91438 号公報に記載の「周期制御パルス発生回路」を用いることにより、推定したシンボルクロックfl' の周波数を維持することができる。
【００４７】
（第４の実施形態）
図４は、本発明の間欠受信装置の第４の実施形態を示す。
図において、無線端末５０は従来と同様の受信回路５１を備え、本実施形態の間欠受信装置として、受信回路５１のシンボルタイミング検出回路で受信フレームからシンボルクロックfl' に同期したシンボルタイミングst' を抽出し、そのシンボルタイミングst' を入力する誤差検出回路１８および間欠受信制御回路１９を備える。誤差検出回路１８は、待受用クロック１１とシンボルクロックfl' の周波数誤差を検出し、間欠受信制御回路１９で受信待受期間Ｔr のタイミング制御を行う構成である。
【００４８】
以下、本実施形態の無線端末の間欠受信動作について説明する。なお、以下の説明において、基準クロック４２，５２、待受用クロック１１およびシンボルクロックfl' については周波数で表記する。
【００４９】
まず、基地局４０は、基準クロックfh' をＮ分周したシンボルクロックfl'(＝fh'／Ｎ)をａカウントして送信間隔Ｔt(＝ａ／fl')を決定し、その送信間隔で送信フレームを間欠送信する。
【００５０】
一方、無線端末５０の受信回路５１のシンボルタイミング検出回路は、受信フレームから基地局４０側のシンボルクロックfl' に同期したシンボルタイミングst' を抽出する。例えば、シンボルタイミングst' は、受信フレームのプリアンブルを利用したフレーム同期によっても求めることができる。
【００５１】
無線端末５０の誤差検出回路１８は、シンボルタイミング検出回路で抽出したシンボルタイミングst' から、シンボルクロックfl' と待受用クロックflとの周波数誤差Δfl（＝fl'−fl)を検出する。具体的には、複数の受信フレームについて、シンボルタイミングst' と待受用クロックflの位相差の推移を観測して周波数誤差を検出する。例えばfl' ＝10ｋHzで、隣接の受信フレームのシンボルタイミングst' 間がシンボルクロックfl' で4000クロック分あるときに、待受用クロックfl（≒10ｋHz）でその期間をカウントして4005クロックあった場合、その期間（0.4 秒）で５クロックずれる周波数誤差として検出できる。
【００５２】
なお、ここではシンボルクロックfl' と待受用クロックflがほぼ同等の周波数としてその周波数誤差を補正する例を示したが、両者は任意の関係にあってもよい。たとえばシンボルクロックfl' が10ｋHzで、待受用クロックflが32ｋHzの場合、シンボルクロックfl' で設定したシンボルタイミングst' の期間は、この待受用クロックflで3.2 倍のカウント数となる。そのカウント数からの増減によって周波数誤差を検出することができる。
【００５３】
このように、待受用クロックflの周波数が大きいほど、周波数誤差検出の精度を上げることができる。したがって、周波数誤差を検出する場合のみ高い周波数に切り替え、実際の待ち受け時は低い周波数の待受用クロックflでカウントすることも可能である。ただし、この場合の高い周波数は低い周波数の待受用クロックflに同期していることが望ましい。
【００５４】
なお、上記の誤差検出回路の動作では、複数の受信フレームにおけるシンボルタイミングst' から周波数誤差を検出したが、本発明は複数の受信フレームに限定されない。シンボルタイミングst' も１フレーム内で複数のタイミングを検出することは可能であり、期間が既知であれば１つないし複数フレームのシンボルタイミングst' を使用してもよい。
【００５５】
ここで、待受用クロックflは、無線端末５０の内部の動作クロック（例えば基準クロックfh）よりも十分に遅くかつ低消費電力で動作するものとする。
【００５６】
次に、無線端末５０の間欠受信制御回路１９は、基地局４０における送信間隔Ｔt を推定する。第１の方法は、待受用クロックflのカウント数を補正して送信間隔Ｔt を推定する。例えば、送信間隔Ｔt が４秒とすると、基地局４０ではfl' ＝10ｋHzで 40000クロックをカウントするが、無線端末５０の待受用クロックflの周波数誤差が上記の例のように4000クロックで５クロックずれる場合は 40000クロックで50クロックずれるので、待受用クロックflで 40050クロックをカウントするようにする。
【００５７】
第２の方法は、待受用クロックflに同期した高い周波数のクロックでシンボルクロックfl' との周波数誤差を検出して送信間隔Ｔt を推定し、それよりも低い周波数の待受用クロックflで受信間隔Ｔr を設定する。例えば、fl' ＝10ｋHzで、シンボルタイミングst' 間がシンボルクロックfl' で4000クロック分あるときに、周波数誤差検出用の高い周波数のクロックが 100ｋHzで 40053クロックをカウントするものとする。さらに、送信間隔Ｔt が４秒とすると、基地局４０ではfl' ＝10ｋHzで 40000クロックをカウントするが、無線端末５０の待受用クロックflの周波数誤差が上記の例のように 100ｋHzで測定して 40000クロックで53クロックずれるので、待受用クロックfl（≒10ｋHz）で 40053クロックをカウントするようにする。
【００５８】
無線端末５０の間欠受信制御回路１９は、受信待受期間Ｔr として、上記のように推定した送信間隔Ｔt に近い値を設定し、この受信タイミングでフレームを間欠受信する。
【００５９】
このように、無線端末５０の間欠受信制御回路１９は、基地局４０の送信間隔Ｔt を決めるシンボルクロックfl' に周波数同期したシンボルタイミングst' を検出し、それで定められる期間よりシンボルクロックfl' と無線端末５０の待受用クロックflとの周波数誤差を検出し、受信待受期間Ｔr を設定することができる。したがって、第１〜第３の実施形態と同様に、基地局４０側と周波数同期がとれた状態で受信待受期間Ｔr の設定が可能になるので、受信回路５１その他の立ち上げ時間やＰＬＬロック時間に係るわずかな余裕時間で対応が可能となる。これにより、無線端末５０の受信回路５１および内部の動作クロック（例えば基準クロックfh）をオフとする受信待受期間Ｔr を長くとることが可能となり、消費電力の低減効果を高めることができる。
【図面の簡単な説明】
【００６０】
【図１】本発明の第１の実施形態を示す図。
【図２】本発明の第２の実施形態を示す図。
【図３】本発明の第３の実施形態を示す図。
【図４】本発明の第４の実施形態を示す図。
【図５】従来の間欠受信装置の構成例を示す図。
【符号の説明】
【００６１】
１１  待受用クロック
１２，１４  同期回路
１３，１５，１７，１９  間欠受信制御回路
１６，１８  誤差検出回路
４０  基地局
４１  送信回路
４２  基準クロック
５０  無線端末
５１  受信回路
５２  基準クロック
【図１】
2008205805.tif 000003
【図２】
2008205805.tif 000004
【図３】
2008205805.tif 000005
【図４】
2008205805.tif 000006
【図５】
2008205805.tif 000007